【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
入力画像に基づいて印刷用の画像を生成する手段と、
前記印刷用の画像を印刷用紙上に印刷する場合に印刷対象外となる画像領域を特定し、特定した画像領域に対応する前記入力画像上の領域と、前記入力画像上における当該領域の周辺領域と、をマージした領域を示す領域情報を作成する作成手段と、
前記領域情報を含む埋め込み情報を作成する手段と、
前記印刷用の画像に対して前記埋め込み情報を埋め込む手段と、
前記埋め込み情報が埋め込まれた前記印刷用の画像を、印刷装置に対して出力する手段と
を備えることを特徴とする画像処理装置。
【請求項２】
更に、
前記印刷装置によって印刷された印刷物を画像データとして取得する手段と、
前記画像データから前記埋め込み情報を抽出し、抽出した埋め込み情報から前記領域情報を復元する手段と、
前記復元された領域情報を用いて、前記画像データが示す画像において前記入力画像から削除されている部分画像を補完することで、前記入力画像を復元する復元手段と、
前記復元手段が復元した入力画像に基づく印刷用の画像を生成し、生成した当該印刷用の画像を印刷装置に対して出力する手段と
を備えることを特徴とする請求項１に記載の画像処理装置。
【請求項３】
前記復元手段は、
前記画像データが示す画像において前記入力画像から削除されている部分画像を前記復元された領域情報から特定し、特定した部分画像を前記画像データが示す画像に対して補完することで、前記入力画像を復元する
ことを特徴とする請求項２に記載の画像処理装置。
【請求項４】
入力画像に基づいて印刷用の画像を生成する手段と、
前記印刷用の画像を印刷用紙上に印刷する場合に印刷対象外となる画像領域を特定し、特定した画像領域に対応する前記入力画像上の領域と、前記入力画像上における当該領域の周辺領域と、をマージした領域を示す領域情報を作成する作成手段と、
前記領域情報を含む埋め込み情報を作成する手段と、
前記印刷用の画像に対して前記埋め込み情報、及び該印刷用の画像中の基準位置を表す位置合わせ用の情報を埋め込む手段と、
前記埋め込み情報と前記位置合わせ用の情報が埋め込まれた前記印刷用の画像を、印刷装置に対して出力する手段と
を備えることを特徴とする画像処理装置。
【請求項５】
更に、
前記印刷装置によって印刷された印刷物を画像データとして取得する手段と、
前記画像データから前記埋め込み情報を抽出し、抽出した埋め込み情報から前記領域情報を復元する手段と、
前記画像データが示す画像から位置合わせ用の情報を検出すると共に、前記画像データに埋め込まれた位置合わせ用の情報を抽出する手段と、
前記検出された位置合わせ用の情報が示す位置と前記抽出された位置合わせ用の情報が示す位置とのずれを用いて、前記画像データが示す画像において前記入力画像から削除されている部分画像を前記復元された領域情報から特定し、特定した当該部分画像を前記画像データが示す画像に対して補完することで、前記入力画像を復元する復元手段と、
前記復元手段が復元した入力画像に基づく印刷用の画像を生成し、生成した当該印刷用の画像を印刷装置に対して出力する手段と
を備えることを特徴とする請求項４に記載の画像処理装置。
【請求項６】
前記復元手段は更に、
前記検出された位置合わせ用の情報が示す位置と前記抽出された位置合わせ用の情報が示す位置とのずれを用いて、前記画像データが示す画像を補正する手段を備え、
補正後の画像において前記入力画像から削除されている部分画像を前記復元された領域情報から特定し、特定した当該部分画像を前記画像データが示す画像に対して補完することで、前記入力画像を復元する
ことを特徴とする請求項５に記載の画像処理装置。
【請求項７】
前記位置合わせ用の情報は、前記印刷用の画像における文字線画が記された領域の４隅に埋め込まれる不可視のマーカであることを特徴とする請求項５又は６に記載の画像処理装置。
【請求項８】
前記位置合わせ用の情報は、前記印刷用の画像における文字線画が記された領域に埋め込まれる不可視のパターンであることを特徴とする請求項５又は６に記載の画像処理装置。
【請求項９】
前記作成手段は、
前記入力画像を前記印刷用紙のサイズよりも大きいサイズに拡大した前記印刷用の画像を前記印刷装置により前記印刷用紙の上に印刷した場合に、印刷対象外となる画像領域を特定し、
前記特定した画像領域に対応する前記入力画像上の領域を、前記入力画像と前記印刷用の画像とのサイズの比から求め、
前記入力画像上の領域と、前記入力画像における当該領域の周辺領域と、をマージした領域を部分領域として求め、
前記入力画像から前記部分領域のみを抽出した画像を、前記領域情報として作成する
ことを特徴とする請求項１又は４に記載の画像処理装置。
【請求項１０】
画像処理装置が行う画像処理方法であって、
前記画像処理装置の生成手段が、入力画像に基づいて印刷用の画像を生成する工程と、
前記画像処理装置の領域情報作成手段が、前記印刷用の画像を印刷用紙上に印刷する場合に印刷対象外となる画像領域を特定し、特定した画像領域に対応する前記入力画像上の領域と、前記入力画像上における当該領域の周辺領域と、をマージした領域を示す領域情報を作成する作成工程と、
前記画像処理装置の埋め込み情報作成手段が、前記領域情報を含む埋め込み情報を作成する工程と、
前記画像処理装置の埋め込み手段が、前記印刷用の画像に対して前記埋め込み情報を埋め込む工程と、
前記画像処理装置の第１の出力手段が、前記埋め込み情報が埋め込まれた前記印刷用の画像を、印刷装置に対して出力する工程と
を備えることを特徴とする画像処理方法。
【請求項１１】
更に、
前記画像処理装置の取得手段が、前記印刷装置によって印刷された印刷物を画像データとして取得する工程と、
前記画像処理装置の領域情報復元手段が、前記画像データから前記埋め込み情報を抽出し、抽出した埋め込み情報から前記領域情報を復元する工程と、
前記画像処理装置の入力画像復元手段が、前記復元された領域情報を用いて、前記画像データが示す画像において前記入力画像から削除されている部分画像を補完することで、前記入力画像を復元する復元工程と、
前記画像処理装置の第２の出力手段が、前記復元工程で復元した入力画像に基づく印刷用の画像を生成し、生成した当該印刷用の画像を印刷装置に対して出力する工程と
を備えることを特徴とする請求項１０に記載の画像処理方法。
【請求項１２】
画像処理装置が行う画像処理方法であって、
前記画像処理装置の生成手段が、入力画像に基づいて印刷用の画像を生成する工程と、
前記画像処理装置の領域情報作成手段が、前記印刷用の画像を印刷用紙上に印刷する場合に印刷対象外となる画像領域を特定し、特定した画像領域に対応する前記入力画像上の領域と、前記入力画像上における当該領域の周辺領域と、をマージした領域を示す領域情報を作成する作成工程と、
前記画像処理装置の埋め込み情報作成手段が、前記領域情報を含む埋め込み情報を作成する工程と、
前記画像処理装置の埋め込み手段が、前記印刷用の画像に対して前記埋め込み情報、及び該印刷用の画像中の基準位置を表す位置合わせ用の情報を埋め込む工程と、
前記画像処理装置の第１の出力手段が、前記埋め込み情報と前記位置合わせ用の情報が埋め込まれた前記印刷用の画像を、印刷装置に対して出力する工程と
を備えることを特徴とする画像処理方法。
【請求項１３】
更に、
前記画像処理装置の取得手段が、前記印刷装置によって印刷された印刷物を画像データとして取得する工程と、
前記画像処理装置の領域情報復元手段が、前記画像データから前記埋め込み情報を抽出し、抽出した埋め込み情報から前記領域情報を復元する工程と、
前記画像処理装置の抽出手段が、前記画像データが示す画像から位置合わせ用の情報を検出すると共に、前記画像データに埋め込まれた位置合わせ用の情報を抽出する工程と、
前記画像処理装置の入力画像復元手段が、前記検出された位置合わせ用の情報が示す位置と前記抽出された位置合わせ用の情報が示す位置とのずれを用いて、前記画像データが示す画像において前記入力画像から削除されている部分画像を前記復元された領域情報から特定し、特定した当該部分画像を前記画像データが示す画像に対して補完することで、前記入力画像を復元する復元工程と、
前記画像処理装置の第２の出力手段が、前記復元工程で復元した入力画像に基づく印刷用の画像を生成し、生成した当該印刷用の画像を印刷装置に対して出力する工程と
を備えることを特徴とする請求項１２に記載の画像処理方法。
【請求項１４】
コンピュータに請求項１乃至９の何れか１項に記載の画像処理装置の各手段として機能させるためのコンピュータプログラム。
【請求項１５】
請求項１４に記載のコンピュータプログラムを格納した、コンピュータ読み取り可能な記憶媒体。
【手続補正２】
【補正対象書類名】明細書
【補正対象項目名】００３１
【補正方法】削除
【補正の内容】
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３４
【補正方法】削除
【補正の内容】
【手続補正６】
【補正対象書類名】明細書
【補正対象項目名】００３５
【補正方法】削除
【補正の内容】
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】削除
【補正の内容】
【手続補正１１】
【補正対象書類名】明細書
【補正対象項目名】００４０
【補正方法】削除
【補正の内容】
【手続補正１２】
【補正対象書類名】明細書
【補正対象項目名】００４１
【補正方法】削除
【補正の内容】
【手続補正１３】
【補正対象書類名】明細書
【補正対象項目名】００４２
【補正方法】削除
【補正の内容】
【手続補正１４】
【補正対象書類名】明細書
【補正対象項目名】００４３
【補正方法】削除
【補正の内容】
【手続補正１５】
【補正対象書類名】明細書
【補正対象項目名】００４４
【補正方法】削除
【補正の内容】